(57)【要約】【課題】水栓固定金具、ソケットを用いることなく混合水栓金具を壁に正確に取付けることができ、また、すっきりした外観が得られる。【解決手段】壁面部１に一対の挿通孔２を形成する。混合水栓金具３の背面部に湯用接続部４と水用接続部５とを設けると共に混合水栓金具３に壁固定部８を設ける。混合水栓金具３の湯用接続部４と水用接続部５に、それぞれ壁面部１の裏側に配置されて該一対の挿通孔２から壁面部１の表面側に引き出し自在となった可撓性を有する給湯配管６と可撓性を有する給水配管７とを接続する。混合水栓金具３の壁固定部８を壁面部１の表面に固着具９により固着する。【選択図】        図１
2011026905.tif 000002
【特許請求の範囲】
【請求項１】
壁面部に一対の挿通孔を形成し、混合水栓金具の背面部に湯用接続部と水用接続部とを設けると共に混合水栓金具に壁固定部を設け、上記混合水栓金具の湯用接続部と水用接続部に、それぞれ壁面部の裏側に配置されて該一対の挿通孔から壁面部の表面側に引き出し自在となった可撓性を有する給湯配管と可撓性を有する給水配管とを接続し、上記混合水栓金具の壁固定部を壁面部の表面に固着具により固着して成ることを特徴とする混合水栓金具の壁取付け構造。
【発明の詳細な説明】
【技術分野】
【０００１】
本発明は、混合水栓金具の壁取付け構造に関するものである。
【背景技術】
【０００２】
混合水栓金具を壁に取付ける従来例として特許文献１が知られている。
【０００３】
この特許文献１に示された従来例は、図６乃至図８にその概略を示すように、壁面部１に形成した一対の挿通孔２に、壁面部１の裏側に配置された給湯配管６、給水配管７にそれぞれ接続する水栓固定金具２０を固定し、各水栓固定金具２０の先端にソケット２１を接続し、混合水栓金具３に設けた湯用接続部４と水用接続部５にそれぞれ上記ソケット２１の先端を接続することで、混合水栓金具３を壁面部１に取付けるようになっている。
【０００４】
上記のように、従来にあっては、水栓固定金具２０、ソケット２１を介して混合水栓金具３を壁面部１に取付けているので、水栓固定金具２０、ソケット２１を必要とし、部品点数が増してコストが高くなり、更に、水栓固定金具２０、ソケット２１が露出するため外観が悪くなるという問題がある。
【０００５】
また、従来にあっては、壁面部１に形成した一対の挿通孔２にそれぞれ水栓固定金具２０を固定するものであるから、２つの水栓固定金具２０をそれぞれ各挿通孔２に別々に固定する際、取付け誤差により２つの水栓固定金具２０間の距離が設計通りの寸法とならない場合が生じ、このような場合は、混合水栓金具３に設けた湯用接続部４と水用接続部５を、２つの水栓固定金具２０とソケット２１を介して接続する際、上記寸法誤差を吸収するため、ソケット２１の正面視における傾斜角度を変えながら調整する必要があり、施工が面倒であるばかりか、両ソケット２１の正面視で線対称となるような位置関係にしなければ、混合水栓金具３を正面視で水平姿勢にすることができず、正確な姿勢となるような施工がし難いという問題がある。
【先行技術文献】
【特許文献】
【０００６】
【特許文献１】特開２００３−１４８６３８号公報
【発明の概要】
【発明が解決しようとする課題】
【０００７】
本発明は上記の従来例の問題点に鑑みて発明したものであって、水栓固定金具、ソケットを用いることなく混合水栓金具を壁に正確に取付けることができ、また、すっきりした外観が得られる混合水栓金具の壁取付け構造を提供することを課題としている。
【課題を解決するための手段】
【０００８】
上記課題を解決するために、本発明は、以下のような構成になっている。
【０００９】
本発明の混合水栓金具の壁取付け構造は、壁面部１に一対の挿通孔２を形成し、混合水栓金具３の背面部に湯用接続部４と水用接続部５とを設けると共に混合水栓金具３に壁固定部８を設け、上記混合水栓金具３の湯用接続部４と水用接続部５に、それぞれ壁面部１の裏側に配置されて該一対の挿通孔２から壁面部１の表面側に引き出し自在となった可撓性を有する給湯配管６と可撓性を有する給水配管７とを接続し、上記混合水栓金具３の壁固定部８を壁面部１の表面に固着具９により固着して成ることを特徴とするものである。
【００１０】
これにより、可撓性を有する給湯配管６と可撓性を有する給水配管７をそれぞれ一対の挿通孔２から屋内側に引き出して混合水栓金具３の湯用接続部４と水用接続部５に直接接続することができ、接続後は可撓性を有する給湯配管６と可撓性を有する給水配管７をそれぞれ一対の挿通孔２から壁面部１の裏側に押し込み、混合水栓金具３の壁固定部８を壁面部１の表面に固着具９により固着することで、従来のように水栓固定金具、ソケットを介さないで混合水栓金具３を壁面部１に直接且つ正確に取付けることができる。また、一対の挿通孔２の中心間の距離を混合水栓金具３の湯用接続部４の中心から水用接続部５の中心までの距離と同じとなるように形成するだけで、混合水栓金具３に設けた湯用接続部４、水用接続部５を精度よく一対の挿通孔２に嵌め込むことができ、混合水栓金具３の壁面部１への取付けが容易に行える。
【発明の効果】
【００１１】
本発明は、上記のように構成したので、従来のように水栓固定金具、ソケットを介さないで混合水栓金具を壁面部に直接且つ正確に取付けることができ、部品点数を削減してコストを低減できると共に取付けが容易となり、また、従来のように水栓固定金具、ソケットが露出しないで、すっきりした外観となる。
【図面の簡単な説明】
【００１２】
【図１】本発明の取付け部分の側断面図である。
【図２】同上の取付け部分の平断面図である。
【図３】同上の正面図である。
【図４】同上に用いるパッキンの正面図である。
【図５】同上に用いる補強金属板の正面図である。
【図６】従来例の取付け部分の側断面図である。
【図７】同上の取付け部分の平断面図である。
【図８】同上の正面図である。
【発明を実施するための形態】
【００１３】
以下、本発明を図１乃至図５に示す実施形態に基づいて説明する。
【００１４】
混合水栓金具３は背面部に筒状をした湯用接続部４と水用接続部５とを突設し、更に背面部に上下両端部に上方及び下方に向けて壁固定部８を突出している。壁固定部８には固着具挿入孔１４を形成している。
【００１５】
上記混合水栓金具３内には、上記湯用接続部４側から供給される湯と、水用接続部５側から供給される水とが混合される湯水混合部（図示せず）が設けてある。
【００１６】
また、混合水栓金具３には湯温調整操作部１０と、流量調整操作部１１と、吐水部１２とが設けてある。そして、上記湯温調整操作部１０を操作することで、上記湯水混合部における湯と水の混合割合を調整して湯温調整を行い、また、流量調整操作部１１を操作することで、湯水混合部から供給される湯水の吐水部１２へ流れる流量を調整して吐水部１２からの吐水停止、吐水量の調整を行うようにしている。
【００１７】
壁の表面部分を構成する壁パネル等により構成される壁面部１には一対の挿通孔２を形成する。この一対の挿通孔２は、その中心間の距離が、混合水栓金具３の湯用接続部４の中心から水用接続部５の中心までの距離と同じとなるように形成する。また、一対の挿通孔２の中心同士を結ぶ線が水平となり、更に、挿通孔２の径は、湯用接続部４、水用接続部５に後述の可撓性を有する給湯配管６、可撓性を有する給水配管７を接続する際に使用するナット１３の径よりも大きい。
【００１８】
壁面部１の背面側には可撓性を有する樹脂製の給湯配管６と、可撓性を有する樹脂製の給水配管７とが配置してある。
【００１９】
混合水栓金具３の壁面部１への取付けに当たっては、壁面部１の背面側に配置した可撓性を有する給湯配管６と、可撓性を有する給水配管７をそれぞれ一対の挿通孔２から壁面部１の表面側、つまり室内側に引き出し、混合水栓金具３の湯用接続部４に給湯配管６の先端部を接続すると共に、水用接続部５に給水配管７の先端部を接続する。この場合、湯用接続部４と給湯配管６の接続、水用接続部５と給水配管７の接続に当たってはそれぞれナット１３で用いて締結する。
【００２０】
このように、湯用接続部４に給湯配管６の先端部を接続すると共に水用接続部５に給水配管７の先端部を接続した状態で、給湯配管６、給水配管７をそれぞれ一対の挿通孔２から壁面部１の背面側に押し込むと共に、湯用接続部４、水用接続部５をそれぞれ一対の挿通孔２に嵌め込む。
【００２１】
この状態で、混合水栓金具３の背面部を壁面部１の前面に当接し、壁固定部８に設けた固着具挿入孔１４からボルト、ナット、ビス等の固着具９を挿入して該固着具９により混合水栓金具３を壁面部１に直接取付ける。
【００２２】
ここで、混合水栓金具３と壁面部１との間に図４に示すようなパッキン１５を介在して止水を図るようにする。また、混合水栓金具３と壁面部１との間に、必要に応じて更に、図５に示す鉄板のような補強金属板１６を介在して混合水栓金具３の壁面部１への取付け部分の補強を行うようにしても良い。
【００２３】
本発明は上記のようにして混合水栓金具３を壁面部１に取付けるものであるから、従来のように水栓固定金具、ソケットを用いることなく混合水栓金具３を壁面部１に直接且つ正確に取付けることができ、水栓固定金具、ソケットを用いないので、部品点数が削減され、コストダウンが図れ、取付け作業も簡略化することになる。また、混合水栓金具３が壁面部１に直接取付けられ、従来のように水栓固定金具、ソケットが露出しないので、すっきりした外観となる。
【符号の説明】
【００２４】
１  壁面部
２  挿通孔
３  混合水栓金具
４  湯用接続部
５  水用接続部
６  給湯配管
７  給水配管
８  壁固定部
９  固着具
【図１】
2011026905.tif 000003
【図２】
2011026905.tif 000004
【図３】
2011026905.tif 000005
【図４】
2011026905.tif 000006
【図５】
2011026905.tif 000007
【図６】
2011026905.tif 000008
【図７】
2011026905.tif 000009
【図８】
2011026905.tif 000010